(57)【要約】  【課題】フィルタに付着した埃を洗い流す空気調和機において、吸込空気中に含まれた埃を効率よく捕捉できるようにして除塵性能を高める。  【解決手段】空気調和機本体１内にフィルタ３と熱交換器２とを備え、前記フィルタ３と前記熱交換器２との下方にドレンパン１６を備えてなるものであって、前記フィルタ３に静電気を摩擦帯電させる摩擦帯電ブラシ４１と、前記フィルタ３と前記摩擦帯電ブラシ４１とを相対的に移動させる移動手段と、前記フィルタ３の風上側へ洗浄液を流下して、前記フィルタ３で捕捉した埃を前記洗浄液で前記ドレンパン１６へ洗い流す洗浄手段とを備えてなる構成にした。【選択図】図１
2011257077.tif 000002
【特許請求の範囲】
【請求項１】
本体内にフィルタと熱交換器とを備え、前記フィルタと前記熱交換器との下方にドレンパンを備えてなるものであって、
前記フィルタに静電気を摩擦帯電させる摩擦帯電ブラシと、前記フィルタと前記摩擦帯電ブラシとを相対的に移動させる移動手段と、前記フィルタの風上側へ洗浄液を流下して、前記フィルタで捕捉した埃を前記洗浄液で前記ドレンパンへ洗い流す洗浄手段とを備えてなる空気調和機。
【請求項２】
前記フィルタは、少なくとも一端が前記ドレンパンの上部で低くなるように湾曲し、湾曲した前記フィルタの高位部に前記洗浄液を流下してなる請求項１に記載の空気調和機。
【請求項３】
前記摩擦帯電ブラシは、前記フィルタの風上側の面を摩擦する第一摩擦帯電ブラシと、前記フィルタの風下側の面を摩擦する第二摩擦帯電ブラシとからなる請求項１に記載の空気調和機。
【請求項４】
前記洗浄液は、前記フィルタの電荷を除電する機能を有した機能水である請求項１に記載の空気調和機。
【請求項５】
前記移動手段は、前記フィルタと前記摩擦帯電ブラシとを接触させて移動させる駆動部からなる請求項１に記載の空気調和機。
【請求項６】
前記洗浄手段は、前記第一摩擦帯電ブラシに設けられ、前記洗浄液を流下する流出孔を備えた洗浄液ダクトからなる請求項１乃至請求項３に記載の空気調和機。
【発明の詳細な説明】
【技術分野】
【０００１】
本発明は、空気清浄機能および内部清掃機能を有する空気調和機に関する。
【背景技術】
【０００２】
フィルタに付着した塵埃を自動的に除去する従来の空気調和機として、フィルタの表裏面を（第一角度位置から第二角度位置に）反転させることで、空気流の圧力を受けて付着していた塵埃が除去されるものがあった（例えば、特許文献１参照）。
【０００３】
しかしながら、このものにおいては、空気流の圧力を受けた塵埃がフィルタから除去される際、送風ファンに向けて飛散してしまう虞があった。
【０００４】
そのため出願人は、特願２００９−１２２９８４（出願日２００９．０５．２１）号に記載されているように、フィルタで捕捉した埃を洗浄用の液体で洗い流せるように構成することで、フィルタを洗浄することができる空気調和機を発明した。
【０００５】
この空気調和機は、図１４（Ａ）および図１４（Ｂ）に示すように、空気吸込口１００と空気吹出口１０１とを結ぶ空気通路にフィルタ１０８と、多数のフィン１０４およびこれに直交する伝熱管１０５からなる熱交換器１０３と、送風ファン１０６とを備え、フィルタ１０８および熱交換器１０３の下方にドレンパン１０７を備えるとともに、フィルタ１０８の風上側に洗浄液を流出するための図示しない流出孔を有する洗浄液ダクト１０９を備え、洗浄液ダクト１０９に、フィルタ１０８に洗浄液を誘導するための誘導部材１１０を備えた構成になっている。
【０００６】
フィルタ１０８は、洗浄液が誘導される風上側の面を平坦状に形成し、親水性加工が施され、且つ触媒が担持されたことを特徴としている。また、図示しない枠部および図示しないフィルタネット部からなり、フィルタネット部を形成する横糸は、縦糸に対し４５°以下の傾斜角を有してなることを特徴としている。
【０００７】
これにより、フィルタ１０８の上端部後方の風上側に洗浄液を流出する洗浄液ダクト１０９を備えるとともに、この洗浄液ダクト１０９の流出孔の近傍に、フィルタ１０８に洗浄液を誘導するための多数の誘導部材１１０を備えたので、洗浄液を飛散させることなくフィルタ１０８の上端部の風上側に誘導し、フィルタ１０８の表面全域に行き渡らせた洗浄液によって、フィルタ１０８の表面で捕捉している埃をドレンパン１０７へ洗い流せるようにしている。
【０００８】
しかしながら、この空気調和機においては、空気吸込口１００から吸い込まれた空気中に含まれる埃を、フィルタ１０８によってより効率よく捕捉できるようにするための考慮はされていなかった。
【先行技術文献】
【特許文献】
【０００９】
【特許文献１】特願２００８−１９６７７３号公報
【発明の概要】
【発明が解決しようとする課題】
【００１０】
そこで本発明は、上述したフィルタに付着した埃を洗い流す空気調和機において、吸込空気中に含まれた埃を効率よく捕捉できるようにして除塵性能を高めることにある。
【課題を解決するための手段】
【００１１】
上述した目的を達成できるように構成するため、本発明は以下に示す特徴を備えている。
【００１２】
本体内にフィルタと熱交換器とを備え、前記フィルタと前記熱交換器との下方にドレンパンを備えてなるものであって、
前記フィルタに静電気を摩擦帯電させる摩擦帯電ブラシと、前記フィルタと前記摩擦帯電ブラシとを相対的に移動させる移動手段と、前記フィルタの風上側へ洗浄液を流下して、前記フィルタで捕捉した埃を前記洗浄液で前記ドレンパンへ洗い流す洗浄手段とを備えてなる構成にした。
【００１３】
また、前記フィルタは、少なくとも一端が前記ドレンパンの上部で低くなるように湾曲し、湾曲した前記フィルタの高位部に前記洗浄液を流下してなる構成にした。
【００１４】
また、前記摩擦帯電ブラシは、前記フィルタの風上側の面を摩擦する第一摩擦帯電ブラシと、前記フィルタの風下側の面を摩擦する第二摩擦帯電ブラシとからなる構成にした。
【００１５】
また、前記洗浄液は、前記フィルタの電荷を除電する機能を有した機能水である構成にした。
【００１６】
また、前記移動手段は、前記フィルタと前記摩擦帯電ブラシとを接触させて移動させる駆動部からなる構成にした。
【００１７】
また、前記洗浄手段は、前記第一摩擦帯電ブラシに設けられ、前記洗浄液を流下する流出孔を備えた洗浄液ダクトからなる構成にした。
【発明の効果】
【００１８】
本発明によれば、上述したフィルタに付着した埃を洗い流す空気調和機において、吸込空気中に含まれた埃を効率よく捕捉できるようにして除塵性能を高めることができるようになる。
【図面の簡単な説明】
【００１９】
【図１】本発明の第一実施形態に係る空気調和機の内部構造を一部省略した要部断面図である。
【図２】本発明の空気調和機のフィルタの斜視図である。
【図３】（ａ）〜（ｅ）前記フィルタに設けられた導電糸の配置パターンの変形例を示す模式図である。
【図４】前記フィルタの導電性糸の配置パターンの変形例を示す模式図である。
【図５】第一実施形態の摩擦帯電ブラシの構造を示す斜視図である。
【図６】摩擦帯電ブラシをフィルタに非接触状態としたときの要部断面図である。
【図７】第一実施形態の摩擦帯電ブラシの回転手順を説明する説明図である。
【図８】摩擦帯電の手順を説明するためのフローチャートである。
【図９】第二実施形態に係る空気調和機の内部構造を一部省略した要部断面図である。
【図１０】第二実施形態の摩擦帯電ブラシの構造を示す斜視図である。
【図１１】（ａ）〜（ｃ）第二実施形態のフィルタの模式図および第一・第二実施形態の導電糸の配置パターンの例を示す模式図である。
【図１２】第二実施形態のフィルタと摩擦帯電ブラシの動きを説明する説明図である。
【図１３】（ａ）〜（ｂ）従来例による空気調和機の内部構造を一部省略した断面図および要部断面図である。
【発明を実施するための形態】
【００２０】
以下、本発明の実施形態について添付図面を参照しながら説明するが、本発明はこれに限られない。
図１に示すように、本発明による空気調和機１は、図示しない背板を介して居室内の壁面に支持されるケーシング１０を備えている。
【００２１】
この実施形態において、空気調和機１は、左右に長い本体が壁面に据え付けられる、いわゆる壁掛け型の家庭用エアコンであって、ケーシング１０には、熱交換器２とクロスフローファン（図示しない）が本体長手方向（図１では紙面垂直方向）に架け渡されるようにして支持されている。この例において、熱交換器２は、上下２段の前面側熱交換器２１と、１段の背面側熱交換器２２とをラムダ（Λ）型に組み合わせたものが用いられている。本発明において、熱交換器２とクロスフローファンの具体的な構成は仕様に応じて任意に選択されてよい。
【００２２】
また、ケーシング１０の下面側には、空気吹出口１７が設けられており、空気吹出口１７には風向板やディフューザー（ともに図示しない）が設けられるが、本発明において、これらの構成は任意的な構成要素であって、特に限定されることはない。
【００２３】
ケーシング１０には、熱交換器２の上面を覆う上面パネル１１と、熱交換器２の前面を覆う前面パネル１２と、熱交換器２の左右両端を支持する側面パネル１３とを備えている。この例において、各パネルは合成樹脂の成型品からなる。
【００２４】
上面パネル１１および前面パネル１２には、空気を空気調和機１に取り込むための空気吸込口１４が設けられている。前面パネル１２の一部には、運転時に開閉することにより、空気吸込口１４の開口面積を大きくして、空気流入量を増やすオープンパネル１５が設けられている。
【００２５】
オープンパネル１５は合成樹脂の板体からなり、空気調和機１の前面パネル１２の一部を覆い隠すように設けられている。オープンパネル１５は、その下端が図示しない回転軸を介して前面パネル１２の一部に回動可能に連結されており、その上端（自由端）側が図示しない開閉駆動手段により開閉するようになっている。
【００２６】
この例において、オープンパネル１５の開閉にはモータを動力とした開閉駆動手段が用いられているが、これ以外に、例えばソレノイドなどの各種アクチュエータを用いてもよい。また、バネ力などを利用して開閉するようにしてもよい。
【００２７】
空気調和機１の内部には、空気吸込口１４に対応するようにフィルタ３が設けられている。この例において、フィルタ３は、横並び（図１の紙面方向）に２枚設けられており、それぞれで空気吸込口１４を覆うようになっている。なお、フィルタ３は、左右ともに同一形状である。
【００２８】
フィルタ３および熱交換器２の下方にはドレンパン１６が設けられている。ドレンパン１６は、熱交換器２をラムダ（Λ）型に構成する上下２段の前面側熱交換器２１と、１段の背面側熱交換器２２とに対応して設けられるとともに、ドレン水および後述する洗浄液を機外（屋外）へ排出するための図示しないドレンホースを接続している。
【００２９】
フィルタ３は、図１に示す側面視のように湾曲した状態で設けられ、その前端および後端が前後のドレンパン１６の上部に位置した構成になっており、湾曲したフィルタ３の高位部に流下した後述する洗浄液が、フィルタ３に沿いながらその前端側および後端側から流れ落ちてドレンパン１６で受けられるようになっている。
【００３０】
また、フィルタ３は、後述する摩擦帯電ユニット４によって摩擦帯電される際に帯電列において−側に帯電する材質によって構成されている。すなわち、この例において、フィルタ３はポリエチレンテレフタレートが用いられている。−側に帯電しやすい材質としては、ポリウレタン、ポリエチレン、ポリプロピレンなどがあるが、仕様に応じて任意に選択されてよい。
【００３１】
図２に示すように、フィルタ３は、矩形状のフィルタ桟３１と、フィルタ桟３１に沿って張設されたメッシュシート３２とを有する薄板状に形成されている。フィルタ桟３１は、例えばＰＥＴなどの強靱な合成樹脂の成型品からなり、フィルタ桟３１の幅方向（図２では左右方向）の両端には、フィルタ３を前後に送るためのラック溝３３，３３が設けられている。
【００３２】
ラック溝３３は、フィルタ桟３１とともに一体成形されており、フィルタ３の送り量を揃えるため、左右同一ピッチで左右対称に形成されている。上述したようにラック溝３３は、フィルタ３を前後に送るために用いられるが、この第一実施形態において、フィルタ３は固定され、これに対して後述する摩擦帯電ユニット４がフィルタ３に沿って移動するようになっている。
【００３３】
この例において、フィルタ桟３１の一部には、フィルタ３が空気吸込口１４の所定位置に配置されているかどうかを検知するための検知孔３４が設けられている。検知孔３４は、フィルタ３を厚さ方向に貫通する貫通孔であって、図示しない検知スイッチによって検知孔３４が検出されることで、制御手段によりフィルタ３が設定位置に配置されたかどうかを検出することができる。
【００３４】
メッシュシート３２は、フィルタ桟３１と同様にＰＥＴなどの合成樹脂でなり、所定の網目状、この例ではメッシュ間隔が約０．３〜１．０ｍｍに形成されている。メッシュシート３２の材質や形状などについては、仕様に応じて任意に変更可能である。
【００３５】
図３を併せて参照して、メッシュシート３２には、摩擦帯電ユニット４で生成された電荷をフィルタ３の全面に行き渡らせるため、導電性を有する導電糸３５が編み込まれている。導電糸３５は、例えばカーボンなどの導電性材料を繊維状に形成したものからなり、フィルタ３または摩擦帯電ユニット４の移動方向（図３では上下方向）に沿って平行に設けられている。
【００３６】
導電糸３５は、導電繊維以外に、例えば導電材料を練り込んだ樹脂を糸状に形成したものや、綿などの糸に導電材料を含浸させたものなどがあるが、導電糸３５の材質や形状は、仕様に応じて任意に選択されてよい。
【００３７】
この例において、導電糸３５は、図３（ａ）に示すように、フィルタ桟３１の一端（図３（ａ）では上端）から下端（図３（ａ）では下端）にかけて直線状に設けられており、フィルタ桟３１の１枠分に２本の導電糸３５が１６ｍｍ以下の間隔で平行に配置されている。すなわち、間隔が１６ｍｍよりも広くなりすぎると、隣り合う導電糸３５が形成する電場同士が重なり合わず、フィルタ３の全面を帯電させることが難しい。
【００３８】
この例において、導電糸３５は、フィルタ３の左右方向に沿って平行に配置されているが、これ以外に、図３（ｂ）に示すように、フィルタ３の左右方向に沿って上下方向（図３（ｂ）では上下方向）に平行となるように配置されてもよい。さらには、図３（ｃ）に示すように、縦方向および横方向に交差するよう格子状に形成してもよい。また、図３（ｄ）に示すように、斜め方向に配置してもよく、導電糸３５の配置は仕様に応じて任意に選択されてよい。
【００３９】
図３（ｂ）〜図３（ｄ）の場合において、後述する摩擦帯電ブラシ４１は、その場で複数回回転することにより、摩擦帯電ブラシ４１をフィルタ３に擦り付けて静電気を発生する。したがって、摩擦帯電ブラシ４１によって生成された電荷をフィルタ３の全面に行き渡らせるため、メッシュシート３には、渡り糸３５ａが設けられている。渡り糸３５ａは、導電糸３５と同じ導電性の糸であって、各導電糸３５に短絡するようにメッシュシート３２に織り込まれている。
【００４０】
さらには、図３（ｅ）に示すように、フィルタ３の通風量の多い部分のメッシュシート３２に導電糸３５を他の部分よりも多く編み込み、通風量の多い部分における帯電量を多くするようにしてもよい。すなわち、図３（ｅ）においては、両側の枠には１枠に対して２本の導電糸３５が設けられており、中央の枠には１枠につき５本の導電糸３５が設けられている。このような態様も本発明に含まれる。これによれば、通風量の多い部分での帯電量を増やして、より捕捉性能を高めることができる。
【００４１】
また、通常メッシュシート３２は無色透明であり、導電糸３５はカーボンなどの場合黒色となる。そこで、導電糸３５の視認性を利用して、フィルタ３の取り付け方向などのサインを導電糸３５の織り込みを利用して行ってもよい。これによれば、単に導電糸３５としての機能だけでなく、表示要素としての機能も加わり、その分の印刷などのコストを抑えることができる。
【００４２】
この例において、摩擦帯電ユニット４は、図３（ａ）に示すように、フィルタ３の左右に跨がるように架け渡されているため、メッシュシート３２の全ての導電糸３５が摩擦帯電ユニット４に触れることができるようになっている。
【００４３】
他方において、図４に示すように、摩擦帯電ユニット４をフィルタ３の幅方向に沿って跨がるように架け渡すのではなく、片持ちでフィルタ３の一部分を擦るように小型化することもできる。このような場合においても、フィルタ３には、摩擦帯電ユニット４の摩擦部分を含むように第一導電糸３５１を設け、この第一導電糸３５１に交差するように第二導電糸３５２をフィルタ３の全面に向かって張り巡らせばよい。
【００４４】
これによれば、摩擦帯電ユニット４によって生成された静電気は、第一導電糸３５１から交差する複数の第二導電糸３５２に沿って移動するため、フィルタ３の全面を帯電させることができる。このような態様も本発明に含まれる。
【００４５】
フィルタ３は、上面パネル１１から前面パネル１２にかけて緩やかなアーチ状に形成されたフィルタ支持レール４２に沿って支持されている。このフィルタ支持レール４２によってフィルタ３の幅方向の両端が支持されることでフィルタ３が熱交換器２の上流側に配置される。
【００４６】
空気調和機１内には、フィルタ３を摩擦帯電させる摩擦帯電ユニット４が、フィルタ１枚に対して１箇所、この例では２箇所設けられている。
【００４７】
摩擦帯電ユニット４は、フィルタ３を摩擦帯電させるための摩擦帯電ブラシ４１を備えている。摩擦帯電ブラシ４１は、図５に示すように、フィルタ３の風上側となる一方の面（図１では上面）側に配置された第一摩擦帯電ブラシ４１ａと、フィルタ３の風下側となる他方の面（図１では下面）側に配置される第二摩擦帯電ブラシ４１ｂとを有し、それらがフィルタ３を挟んで対向的に配置されている。
【００４８】
なお、空気調和機１の内部に後述する洗浄液を貯留するための洗浄液槽４３ｅは、図１、図６および図９に示すフィルタ支持レール４２の外側であって、空気吸込口１４から吸い込まれる吸込空気流に対し通風抵抗にならない位置に設けられている。また、洗浄液槽４３ｅには、減少した洗浄液をユーザが補充できるようになっている。
【００４９】
以下、第一実施形態について説明する。
第一実施形態における第一摩擦帯電ブラシ４１ａは、図１と、図５と、図７（ａ）乃至図７（ｃ）とに示すように、所定の水平回転軸Ｌを中心に回動するブラシ台４３と、ブラシ台４３に植設されるブラシ毛４４とを備えている。
【００５０】
第一実施形態における第一摩擦帯電ブラシ４１ａに備えた一方のブラシ台４３は、合成樹脂の成型品からなる洗浄液ダクト４３ａを一体的に形成した構成になっており、ブラシ毛４４が植設される板状のベース４３１と、ベース４３１の両端からほぼ垂直に立設され、回動用の図示しない軸受部を備えた側板４３２および４３２と、ダクトカバー４３４とで中空状に形成され、且つ、一方の側板４３２には洗浄液槽４３ｅの洗浄液を流入するための管状の流入路４３ｃが接続された流入部４３ｂを備えるとともに、ベース４３１には洗浄液を流下するための複数の流出孔４３ｄを備えている。
【００５１】
第一実施形態における第二摩擦帯電ブラシ４１ｂは、図５と、図７（ａ）乃至図７（ｃ）とに示すように、所定の水平回転軸Ｌを中心に回動する他方のブラシ台４３と、第一摩擦帯電ブラシ４１ａに備えた一方のブラシ台４３のブラシ毛４４に、フィルタ３を介して対向する他方のブラシ台４３の面に植設されるブラシ毛４４とを備えている。
【００５２】
第一実施形態における第二摩擦帯電ブラシ４１ｂに備えた他方のブラシ台４３は、合成樹脂の成型品からなり、ブラシ毛４４が植設される板状のベース４３１と、同ベース４３１の両端からほぼ垂直に立設され、回動用の図示しない軸受部を備えた側板４３２，４３２とを有してコ字状に形成された構成になっている。この例において、他方のブラシ台４３はコ字型に形成されているが、水平回転軸Ｌを中心に回動可能な形状であれば、その他の形状であってもよい。
【００５３】
ここで、静電気を帯びた状態とは、非導電性の異なる物体同士を摩擦させることにより、表面の電子が移動して物体表面の電位が変化し、その表面に電荷が帯電した状態をいい、フィルタ３を−電荷に帯電させることで、空気中の＋電荷を帯びている埃をフィルタ３で吸着することができる。
【００５４】
そこで、ブラシ毛４４は、フィルタ３に擦り付けた際に＋側の電荷を帯びやすい材質のものが用いられている。すなわち、この例においては、＋側に帯電しやすいナイロンが用いられている。これ以外に、＋側に帯電しやすい材質として、各種毛皮類やガラスなど、仕様に応じて任意に選択されてよい。なお、ブラシ毛４４の植設条件などについても同様である。
【００５５】
ここで、フィルタ３が−電荷を帯びるようにするためには、フィルタ３を構成する材質よりもブラシ毛４４の材質が帯電列において＋側に位置するものであればよく、フィルタ３とブラシ毛４４との間に電位を生むものであれば、ブラシ毛４４を−側に帯電させ、フィルタ３を＋側に帯電させるものであってもよい。
【００５６】
この例においては、摩擦帯電手段として摩擦帯電ブラシ４１が用いられているが、摩擦帯電は、摩擦するものの材質や形状が異なるほど帯電しやすく、とりわけ密着性のよいものが帯電させやすい。そこで、摩擦帯電ブラシ４１に変えて、シートやスポンジなどのフィルタ３に密着しやすいものをブラシ台４３に設けてもよい。
【００５７】
なお、エアコン運転中に摩擦帯電させる場合には、被接触体（フィルタ３または摩擦帯電ブラシ４１）の何れか一方を除電した方がよい。すなわち、一方をアースすることにより、帯電量（電位差）を増やすことができ、吸着力を上げることができる。
【００５８】
例えば、摩擦することで得られる電位差ΔＶを１０ｋＶとした場合、一方（フィルタ）が−５ｋＶのままであるとすると、他方（ブラシ）は＋５ｋＶとなるが、一方（フィルタ）をアース（０ｋＶ）すると、他方（ブラシ）に＋１０ｋＶの電位を生じさせることができる。すなわち、空気中のゴミがほぼ電位を有していないとすると、フィルタの電位を大きくすることで、フィルタにゴミをより多く付着させることができる。これにより、再度帯電させる際に摩擦帯電の効果がより効率的に得られる。この例において、電位差ΔＶは、湿度などの条件にもよるが、摩擦帯電ブラシ４１で３〜４回擦ることにより、約２〜８ｋＶの電位差を得ることを目的としている。
【００５９】
摩擦帯電ブラシ４１は、制御手段によって制御される駆動モータ（ともに図示しない）によって回転駆動される。図６に示すように、第一摩擦帯電ブラシ４１ａおよび第二摩擦帯電ブラシ４１ｂは、水平回転軸（図６では紙面に垂直軸）を中心として、その場で約９０°回転することにより、ブラシ毛４４をフィルタ３に接触、非接触を繰り返すことで、フィルタ３を帯電させるようになっている。この例において、第一摩擦帯電ブラシ４１ａは時計回りに回転し、第二摩擦帯電ブラシ４１ｂは反時計回りに回転する。
【００６０】
摩擦帯電ブラシ４１によりフィルタ３を−電荷に帯電させることで、空気中の＋電荷を帯びている埃をフィルタ３で吸着することによって効率よく捕捉したのち、洗浄液ダクト４３ａに設けられた複数の流出孔４３ｄから、フィルタ３の風上側となる一方の面に洗浄液槽４３ｅから供給される洗浄液を流下することで、フィルタ３およびフィルタ３に吸着されている埃に帯電した電荷を除電するとともに、捕捉されている埃をフィルタ３から剥離して洗い流せることになる。
【００６１】
洗浄液で洗い流された埃は、図１に示すように、側面視で前端が低くなるように湾曲させたフィルタ３の前端縁および、または後端が低くなるように湾曲させた後端縁から流れ落ちることによって、前後に配置されたドレンパン１６で受けられることになり、上下２段の前面側熱交換器２１および１段の背面側熱交換器２２から前後のドレンパン１６に滴下した凝縮水と一緒に、図示しないドレンホースによって機外（屋外）に排出されることになる。
【００６２】
ここで、図７（ａ）〜図７（ｃ）および図８のフローチャートを参照して、摩擦帯電動作（摩擦帯電ステップ）の手順および埃を流れ落とす手順の一例について説明する。まず、リモコンの操作や空気調和機１の内蔵メモリに収納された運転プログラムなどによって、制御部（ともに図示しない）は摩擦帯電モードを開始する（ステップＳＴ０１）。ここで、本発明の摩擦帯電動作（摩擦帯電ステップＳＴ）は、空気調和機の運転開始前に行われることが好ましい。これによれば、運転停止中に減った電荷を回復させることができるようになり、また、空気吸込口１４からの吸込空気によってフィルタ３を乾燥させることで効果的に摩擦帯電させることができるようになる。
【００６３】
摩擦帯電運転が開始されると、制御部は、まず、フィルタ３が所定の初期位置に配置されているかを検出する。併せて、摩擦帯電ブラシ４１が所定の初期位置にあるかを検出する（ステップＳＴ０２）。次に、制御部は、摩擦帯電ブラシ４１の駆動モータに指令を出し、図７（ａ）に示すように、第一摩擦帯電ブラシ４１ａを反時計回り、第二摩擦帯電ブラシ４１ｂを時計回りに約９０°回転させ、摩擦帯電ブラシ４１をフィルタ３に接触させる（ステップＳＴ０３）。
【００６４】
次に、制御部は、摩擦帯電の摩擦条件を設定するに当たり、図示しない湿度センサから現在のフィルタ３の周囲の湿度を測定する（ステップＳＴ０４）。湿度データに基づき、制御部は、あらかじめ組み込まれた所定の制御プログラムに沿って図示しない湿度センサから湿度データを入手解析し、湿度が「高い」と判断した場合、高湿度モードに移行する。
【００６５】
高湿度モードにおいて、制御部は、まず摩擦帯電ブラシ４１の駆動モータに回動命令を出す。これを受けて、駆動モータは、図７（ｂ）に示すように、湿度条件に応じて摩擦帯電ブラシ４１を往復的に回動させてフィルタ３を摩擦する（ステップＳＴ０５）。
【００６６】
ここで、高湿度の場合、電荷は移動しやすいため、帯電しにくくなる。したがって、摩擦帯電ブラシ４１による摩擦運動を長時間（複数回）行う必要がある。そこで、制御部は、高湿度モード時の設定時間Ｔ１が来るまで摩擦帯電ブラシ４１を往復移動し続ける（ステップＳＴ０６）。
【００６７】
これに対して、制御部が、湿度が「低い（通常）」と判断した場合、制御部は、低湿度（通常）モードで運転される。
【００６８】
通常運転モードにおいて、制御部は、摩擦帯電ブラシ４１の駆動モータに回動命令を出し（ステップＳＴ０７）。これに応じて、摩擦帯電ブラシ４１が回動動作を設定時間Ｔ２（Ｔ１＞Ｔ２）が来るまで繰り返し行う（ステップＳＴ０８）。
【００６９】
摩擦帯電ブラシ４１がフィルタ３を摩擦することによって、フィルタ３のメッシュシート３２には電荷が蓄積され静電気を帯びる。その際、電荷は、導電糸３５を通ってフィルタ３の全面に運ばれるため、フィルタ３の全面を一様に帯電させることができて、空気吸込口１４から吸い込まれた空気中に含まれた埃が吸着されることにより、フィルタ３に効率よく捕捉されることになる。
【００７０】
この例において、フィルタ３に吸着されることで捕捉された埃を除去する際、設定時間Ｔ１，Ｔ２が経過すると、制御部は、図示しないポンプに予め設定された所定時間にわたり指令を出すことで、図１に示す洗浄液槽４３ｅに貯留された洗浄液が、図５に示す流入路４３ｃを経て流入部４３ｂから洗浄液ダクト４３ａに流入し、図７（ｂ）に示す洗浄液ダクト４３ａの流出孔４３ｄからフィルタ３に連続的に洗浄液を流下させることになって、フィルタ３に帯電した静電気を除電するとともに、フィルタ３に吸着されることで効率よく捕捉された埃が洗い流されるようになる（ステップＳＴ０９）。これにより、洗浄液と一緒に洗い流された埃がドレンパン１６で受けられたのち、熱交換器２から滴下した凝縮水と一緒に機外（屋外）に排出されることになる。
【００７１】
なお、摩擦帯電ブラシ４１はフィルタ３を清掃するためのブラシと兼用してもよく、流出孔４３ｄからフィルタ３に流下する洗浄液は、摩擦帯電ブラシ４１のブラシ毛４４に導かれながら流下することから、静電気を除電してフィルタ３に捕捉された埃を洗い流すことに限らず、ブラシ毛４４に帯電した静電気を除電するとともに、ブラシ毛４４に付着している埃も一緒に洗い流すことになる。
【００７２】
洗浄液がフィルタ３の一方の面に所定時間にわたり流下したのち、空気調和機１を駆動することにより空気吸込口１４から吸い込まれた空気でフィルタ３を乾燥させ、制御部は、摩擦帯電ブラシ４１の駆動モータに指令を出し、図７（ｃ）に示すように、第一摩擦帯電ブラシ４１ａを時計回り、第二摩擦帯電ブラシ４１ｂを反時計回りに約９０°回転させて、摩擦帯電ブラシ４１をフィルタ３に非接触な状態に回動させる（ステップＳＴ１０）。第一摩擦帯電ブラシ４１ａおよび第一摩擦帯電ブラシ４１ｂがフィルタ３から離れることにより、電荷がフィルタ３の導電糸３５を伝ってフィルタ３の全面に運ばれ、均一に帯電する。
【００７３】
ところで、このようにフィルタ３が帯電した状態で空気調和機１を駆動した場合、空気がフィルタ３を通過する際、空気中に含まれる微細なゴミが静電気によってフィルタ３に吸着されるが、フィルタ３を通過する空気量が増えるほど、フィルタ３に帯電した電荷は弱まる、すなわち吸着性能が低下する。同様に、空気の流れが速いほどフィルタ３を通過する空気量が増えるため、電荷は弱まる。
【００７４】
さらには、フィルタ３に堆積したゴミによっても電荷が弱められる。したがって、運転中の静電吸着力を維持するためには、空気調和機１の運転中にも摩擦帯電作業を行うことが好ましい。
【００７５】
この例において、摩擦帯電ユニット４は、第一摩擦帯電ブラシ４１ａおよび第二摩擦帯電ブラシ４１ｂをその場で９０°往復回動させることで、フィルタ３を摩擦帯電させているが、これ以外の方法であってもよい。次に、図９〜図１２を参照して、本発明の第二実施形態について説明する。なお、上記第一実施形態と同一もしくは同一と見なされる箇所には同じ参照符号を付した。
【００７６】
この第二実施形態に係る空気調和機１の摩擦帯電ユニット４は、上記第一実施形態と同様に、上下一対の第一摩擦帯電ブラシ４１ａおよび第二摩擦帯電ブラシ４１ｂを備えているが、その摩擦帯電方法が異なる。
【００７７】
第二実施形態における第一摩擦帯電ブラシ４１ａは、図９と、図１０と、図１２とに示すように、平板状でなる一方のブラシ台４３と、ブラシ台４３の一方の面に２箇所に分けて植設されるブラシ毛４４とを備えた構成になっており、一方のブラシ台４３には、図７（ａ）〜図７（ｃ）に基づいて上述した第一実施形態の場合と同様に、洗浄液を流下する複数の流出孔４３ｄを備えている。
【００７８】
第二実施形態における一方のブラシ台４３は、合成樹脂の成型品からなり、ブラシ毛４４が植設されていない他方の側には、中空状に形成された洗浄液ダクト４３ａが一体的に設けられるとともに、洗浄液ダクト４３ａの一側には、洗浄液槽４３ｅの洗浄液を流入するための管状の流入路４３ｃを接続した流入部４３ｂを備えている。
【００７９】
第二実施形態における第二摩擦帯電ブラシ４１ｂは、図９と、図１０と、図１２とに示すように、平板状でなる他方のブラシ台４３に、第一摩擦帯電ブラシ４１ａに備えた一方のブラシ台４３に植設されたブラシ毛４４にフィルタ３を介して対向し、２箇所に分けて植設されるブラシ毛４４を備えた構成になっている。
【００８０】
第二実施形態における第二摩擦帯電ブラシ４１ｂに備えた他方のブラシ台４３の中央および両端には、後述するフィルタ３に設けられたブラシ駆動レール３６が案内されるガイド溝４３３が設けられている。ガイド溝４３３は、他方のブラシ台の表面から一段低く形成された切欠溝であって、フィルタ３の移動方向（図１０では紙面方向）に沿って形成されている。
【００８１】
第二実施形態における第二摩擦帯電ブラシ４１ｂに備えた他方のブラシ台４３の裏面側には、ブラシ毛４４をフィルタ３に向けて押圧する押圧バネ４５が設けられている。押圧バネ４５は、他方のブラシ台４３を常にフィルタ３の側に向けて押し出す圧縮バネからなり、この例では、２カ所設けられている。この例において、押圧バネ４５は、摩擦帯電ユニット４のベース４６側に他端側が設置されているが、その設置数および位置は特に限定されない。
【００８２】
第二実施形態におけるフィルタ３は、上記第一実施形態のフィルタ３とほぼ同じ形状であるが、図１１（ａ）に示すように、フィルタ３の移動方向のフィルタ桟３１には、第一摩擦帯電ブラシ４１ａおよび第二摩擦帯電ブラシ４１ｂを互いに離反させるためのブラシ駆動レール３６が設けられている。
【００８３】
ブラシ駆動レール３６は、フィルタ桟３１の終端側（図１１（ａ）では上端側）の両面に上下対称に設けられた凸状のリブからなり、フィルタ桟３１に沿って一体的に形成されている。ブラシ駆動レール３６は、フィルタ桟３１よりも一段高く形成されており、その端部には、テーパー面３６１が設けられている。
【００８４】
フィルタ桟３１のブラシ駆動レール３６の他端側（図１１（ａ）では下端側）には、摩擦帯電時にフィルタ３を前後に移動させるためのラック溝３３が設けられている。ラック溝３３は、空気調和機１内部に設けられた駆動ギア５に歯合され、駆動ギア５を介してフィルタ３が前後にスライドする。
【００８５】
これによれば、図１２に示すように、エアコンの運転時は、フィルタ３が図１２で示す位置に配置されることにより、ブラシ駆動レール３６によって第一摩擦帯電ブラシ４１ａおよび第二摩擦帯電ブラシ４１ｂに備えた他方のブラシ台４３が夫々持ち上げられるため、第一摩擦帯電ブラシ４１ａおよび第二摩擦帯電ブラシ４１ｂがフィルタ３を介して互いに離反し、ブラシ毛４４がフィルタ３に非接触となる。
【００８６】
これに対して、摩擦帯電時には、図９に示すように、駆動ギア５を介してフィルタ３が後方に移動することで、一方および他方のブラシ台４３，４３がブラシ駆動レール３６を外れることにより、押圧バネ４５によって第二摩擦帯電ブラシ４１ｂがフィルタ３側に押し付けられることで、第二摩擦帯電ブラシ４１ｂおよび第一摩擦帯電ブラシ４１ａがフィルタ３に接触した状態となる。
【００８７】
この状態で、駆動ギア５を往復的に回動させることにより、フィルタ３が小刻みに前後することにより、上下のブラシ毛４４がフィルタ３を摩擦して帯電する。なお、この第二実施形態において、メッシュシート３２には、図面の都合上、導電糸３５は描画されていないが、実際には第一実施形態と同様の導電糸３５が含まれている。
【００８８】
この第二実施形態においても、上記第一実施形態と同様に、フィルタ３で捕捉された埃を洗い流す洗浄手段を備えている。これによれば、フィルタ３の風上側となる一方の面に洗浄液槽４３ｅから供給される洗浄液を流下することで、フィルタ３およびフィルタ３に吸着されている埃に帯電した電荷を除電するとともに、捕捉されている埃をフィルタ３から剥離して洗い流せることになる。
【００８９】
その際、図１１（ｂ）および図１１（ｃ）に示すように、フィルタ３を構成しているフィルタ桟３１内のメッシュシート３２は、縦糸をなす第一導電糸３５１（または縦の仮想線３５１）に対し、横糸をなす第二導電糸３５２が４５°よりも小さい傾斜角θを有した構成にしてもよく、これによって、図３および図４に基づいて上述したフィルタ１に較べて、埃を洗い流す洗浄液が第一導電糸３５１および第二導電糸３５２に沿ってさらに流下しやすくなり、第二導電糸３５２から洗浄液の一部が熱交換器２の側に滴下してしまう恐れがなくなる。
【００９０】
そのため、側面視で前端が低く湾曲するように設けられたフィルタ３の上端部に、洗浄液ダクト４３ａに設けられた複数の流出孔４３ｄから洗浄液を全幅にわたって万遍なく流下し、図７（ａ）および図７（ｂ）に示すブラシ毛４４により誘導されて、ブラシ毛４４が当接しているフィルタ３の全面に拡散させることができるようになる。
【００９１】
摩擦帯電ユニット４により静電気を帯電させたフィルタ３から除電し、且つフィルタ３に静電気によって吸着されることで効率よく捕捉した埃を洗い流すための液体である洗浄液は、例えばオゾン水のような除菌や脱臭などに高い効果を有する機能水を用いることで、フィルタ３で捕捉した埃を洗い流し、フィルタ３の全面を清潔にして、フィルタ３を通過し熱交換器２で熱交換された綺麗な調和空気を、図示しない送風ファンを経て空気吹出口１７に送出し、空気吹出口１７から被空調室に吹き出すことができるようになる。
【００９２】
または、洗浄液としてオゾン水の他に、電解水あるいは抗菌剤を溶解させた薬液等のような機能水を用いることで、フィルタ３で捕捉した埃を分解・剥離して洗い流すようにしてもよく、これによって、埃が引っ掛かることなくフィルタ３に沿って洗浄液と一緒に円滑に流下し、ドレンパン１６に向けて流れ落ちることになる。なお、こうした洗浄液を用いることによって得られる作用効果については、上述した第一実施形態においても同様である。
【００９３】
埃を分解・剥離して洗い流すことにより、フィルタ３に埃が捕捉されたままの状態を防止できるため、フィルタ３を通過する空気流の抵抗が増加しないようになり、フィルタ３の下流側には、フィルタ３の通過時に除菌・脱臭された空気が流れることから、熱交換器２や、図示しない送風ファンや、空気吹出口１７に到る空気通路の壁面などを汚すことがなく、快適な空気調和を実現できる。
【００９４】
また、洗浄液ダクト５には、フィルタ３に対向して、洗浄液ダクト４３ａの長手方向に沿うように多数のブラシ毛４４が植設されており、複数の流出孔４３ｄから流下した洗浄液はフィルタ３に当接した多数のブラシ毛４４に導かれることよって、飛散してしまうことなくフィルタ３の一方の面に円滑に誘導されるようになる。
【００９５】
これにより、複数の流出孔４３ｄから流下しフィルタ３の一方の面に誘導された洗浄液は、フィルタ３の一方の面の全域に拡散して流下しながら埃を洗い流し、ドレンパン１６に流入したのち図示しないドレンホースで機外（屋外）に排出されることになる。
【００９６】
なお、フィルタ３に捕捉された埃を洗い流す際、フィルタ３の一方の面が平坦状に形成されたことによって、洗浄液で洗い流される埃は一方の面に引っ掛かることがなくなる。
【００９７】
フィルタ３は親水性を持たせておくことで、フィルタ３の上端部に万遍なく誘導された洗浄液をフィルタ３の一方の面の全域に拡散させながら流下させることで、フィルタ３に捕捉されている埃の下に洗浄液の膜が入り込み、埃を浮かして洗い流す効果を奏することになる。
【００９８】
複数の流出孔４３ｄから流出される洗浄液の流出量は、空気吸込口１４から吸い込まれた空気中に含まれる埃の量、風量、湿度あるいはフィルタ３の大きさなどに対応して、図示はしないが、洗浄液ダクト４３ａの流入路４３ｃに設けられた出水弁を開閉することによって調整できるようにしてもよい。
【００９９】
また、フィルタ３は、例えば、光触媒（二酸化チタン）からなる触媒が担持されるともに、光触媒（二酸化チタン）に紫外線を照射する光源を設置することで、フィルタ３の汚れを分解できるようにしてもよい。
【０１００】
光触媒（二酸化チタン）からなる触媒の活性エネルギ源としては、紫外線が照射されることに限らず、例えば、洗浄液として用いられるオゾン水も活性のためのエネルギ源になることから、フィルタ３に捕捉された埃はさらに効果的に分解できるようになる。
【０１０１】
そのため、静電気によって吸着されることで効率よく捕捉された埃は、洗浄液と一緒にフィルタ３に沿ってさらに円滑に流れ落ちることにより、洗浄液の一部が熱交換器２の側に滴下することなくフィルタ３に沿いながらドレンパン１６へ向かうことになり、ドレンパン１６から図示しないドレンホースで機外（屋外）に排出できる。
【０１０２】
以上説明したように、本発明の構成によれば、フィルタ３に摩擦帯電させる摩擦帯電ユニット４が設けられたことにより、フィルタ３を摩擦帯電させて吸込空気中に含まれた埃を吸着することで、埃を効果的に捕捉できるように除塵性能を高めるとともに、フィルタ３の一方の面に洗浄液を流下する洗浄液ダクト５を備えたことにより、帯電させたフィルタ３を洗浄液で洗うことで除電できることによって、捕捉された埃がフィルタ３から剥離されやすくなり、洗浄液によってドレンパン１６へ洗い流せるようにした空気調和機１を提供できる。
【符号の説明】
【０１０３】
１  空気調和機
１０  ケーシング
１１  上面パネル
１２  前面パネル
１３  側面パネル
１４  空気吸込口
１５  オープンパネル
１６  ドレンパン
１７  空気吹出口
２  熱交換器
２１  前面側熱交換器
２２  背面側熱交換器
３  フィルタ
３１  フィルタ桟
３２  メッシュシート
３３  ラック溝
３４  検知孔
３５  導電糸
３５１  第一導電糸
３５２  第二導電糸
３５ａ  渡り糸
３６  ブラシ駆動レール
３６１  テーパー面
４  摩擦帯電ユニット
４１  摩擦帯電ブラシ
４１ａ  第一摩擦帯電ブラシ
４１ｂ  第二摩擦帯電ブラシ
４２  フィルタ支持レール
４３  ブラシ台
４３１  ベース
４３２  側板
４３３  ガイド溝
４３４  ダクトカバー
４３ａ  洗浄液ダクト
４３ｂ  流入部
４３ｃ  流入路
４３ｄ  流出孔
４３ｅ  洗浄液槽
４４  ブラシ毛
４５  押圧ばね
４６  摩擦帯電ユニットのベース
５  駆動ギア
Ｌ  水平回転軸
【図１】
2011257077.tif 000003
【図２】
2011257077.tif 000004
【図３】
2011257077.tif 000005
【図４】
2011257077.tif 000006
【図５】
2011257077.tif 000007
【図６】
2011257077.tif 000008
【図７】
2011257077.tif 000009
【図８】
2011257077.tif 000010
【図９】
2011257077.tif 000011
【図１０】
2011257077.tif 000012
【図１１】
2011257077.tif 000013
【図１２】
2011257077.tif 000014
【図１３】
2011257077.tif 000015